(57)【要約】【課題】簡単な構成で大量の被包装物を収容した包装袋内を脱気して開口部を封止する。【解決手段】保護ケース５内に収容された包装袋５内に被包装物７を投入したのち封止装置８の吸引装置８で包装袋６内の空気を吸引して排出するとともにこの包装袋６内の空気の吸引により包装袋６の先端部を吸引変形させて吸気筒１５内に導入して熱溶着手段１８で熱溶着して包装袋６内の空気排出と包装袋６の熱溶着を容易に行う。【選択図】    図５
2009286485.tif 000002
【特許請求の範囲】
【請求項１】
吸引装置と、該吸引装置内に設けられたシール機構部を有し、
前記吸引装置は、下面外周部で保護ケース内に挿入されて被包装物を投入した包装袋の先端開口部をシールするガイド部と、断面が長方形の筒状に形成され、両側面の中間部に対向した長方形のガイド孔を有する吸気筒を有し、保護ケース内に挿入されて被包装物を投入した包装袋の上から下降させて前記吸気筒内の吸気により包装袋内の空気を吸引して包装袋の先端部を前記吸気筒内に入り込ませ、
前記シール機構部は、前記ガイド部の吸気筒を挟んだ両側で、前記吸気筒の両側面に形成されたガイド孔に対向して配置された一対の熱溶着手段を有し、該一対の熱溶着手段の先端部で前記吸気筒に入り込んだ包装袋を熱溶着することを特徴とする包装袋の封止装置。
【請求項２】
前記熱溶着手段を駆動する一対の駆動手段を、前記ガイド部の吸気筒を挟んだ両側に配置した請求項１記載の包装袋の封止装置。
【発明の詳細な説明】
【技術分野】
【０００１】
この発明は、例えば多量の各種食品等の被包装物を収容した包装袋内を脱気して開放口を封止する包装袋の封止装置に関するものである。
【背景技術】
【０００２】
例えば食品等の輸送や保管の際の保護と取扱いの便のために、合成樹脂フイルムからなる包装袋に収容して封止している。この食品等を収容した包装袋の開口部の封止方法が特許文献１や特許文献２、特許文献３等に開示されている。
【０００３】
特許文献１に示された包装袋の封止方法は、食品を入れた包装袋を、開口部を上にして保護ケースで保持してコンベヤで搬送しながら、開口部端部の前面中央部と後面中央部を順次内側に折り込み、折り込まれた開口部端部を重ね合わせて溶着している。また、特許文献２に示された包装袋の封止方法は、包装袋における開口部寄りの相対する側面部をガセット折りした後、開口部を加熱シールしている。
【０００４】
さらに、特許文献３に示された包装袋の封止方法は、被包装物を収容した包装袋の開口部にノズルを挿入して袋内を脱気した後、ノズルを引き出して開口部をシールしている。
【特許文献１】特開２０００−２５５５０４号公報
【特許文献２】特開２０００−２５５５０５号公報
【特許文献３】特開２００７−２１６９９７号公報
【発明の開示】
【発明が解決しようとする課題】
【０００５】
特許文献１や特許文献２に示すように、被包装物を収納した包装袋の開口部端部を折り込んでから開口部端部を加熱シールしていると、封止装置の構造が複雑になるとともに、封止した包装袋内に空気も含まれ、輸送や保管の際の取扱が不便になってしまうという短所がある。
【０００６】
この短所は、特許文献３に示すように、被包装物を収容した包装袋の開口部を封止する前に、包装袋内を脱気すれば解消するが、包装袋内を脱気するために包装袋の開口部にノズルを挿入し、脱気した後にノズルを取り出すときに包装袋に開口部から空気が入り込むことを防ぐ必要であり、封止装置が複雑になってしまう。
【０００７】
この発明は、このような短所を改善し、簡単な構成で大量の被包装物を収容した包装袋内を脱気して開口部を封止することができる包装袋の封止装置を提供することを目的とするものである。
【課題を解決するための手段】
【０００８】
この発明の包装袋の封止装置は、吸引装置と、該吸引装置内に設けられたシール機構部を有し、前記吸引装置は、下面外周部で保護ケース内に挿入されて被包装物を投入した包装袋の先端開口部をシールするガイド部と、断面が長方形の筒状に形成され、両側面の中間部に対向した長方形のガイド孔を有する吸気筒を有し、保護ケース内に挿入されて被包装物を投入した包装袋の上から下降させて前記吸気筒内の吸気により包装袋内の空気を吸引して包装袋の先端部を前記吸気筒内に入り込ませ、前記シール機構部は、前記ガイド部の吸気筒を挟んだ両側で、前記吸気筒の両側面に形成されたガイド孔に対向して配置された一対の熱溶着手段を有し、該一対の熱溶着手段の先端部で前記吸気筒に入り込んだ包装袋を熱溶着することを特徴とする。前記熱溶着手段を駆動する一対の駆動手段を、前記ガイド部の吸気筒を挟んだ両側に配置することが望ましい。
【発明の効果】
【０００９】
この発明は、被包装物を投入した包装袋の開放端をシールするとき包装袋内の空気を吸引して排出するとともに包装袋内の空気の吸引により包装袋の先端部を吸引装置の吸気筒内に導入して熱溶着することにより、包装袋内の空気の排出と包装袋の熱溶着を容易に行うことができる。
【００１０】
また、包装袋の熱溶着の前に被包装物を投入した包装袋内の空気を排出するから、被包装物を内蔵する包装袋の容積を小さくして輸送や保管の際の取扱いを容易にすることができる。
【００１１】
さらに、吸気筒内を吸気して包装袋の先端部を吸気筒内に導入して熱溶着するから、包装袋の熱溶着する部分が折り曲がって重なることを防いで包装袋を確実に熱溶着することができる。
【発明を実施するための最良の形態】
【００１２】
図１はこの発明の大量の被包装物を包装袋に収納して封止する包装装置の構成図である。図に示すように、包装装置１は、コンベヤ２に沿って設けられた投入部３と封止部４を有する。投入部３は、例えばポリエチレン等の合成樹脂フイルムで形成され、開放端を保護ケース５から引き出して保護ケース５内に挿入した包装袋６内に被包装物７を投入する。封止部４は、封止装置８とフレーム９上に搭載された昇降装置１０を有する。
【００１３】
封止装置８は、図２（ａ）の正面図と（ｂ）の側面図に示すように、吸引装置１１と吸引装置１１内に設けられたシール機構部１２を有する。吸引装置１１は、上端部に開口部１３を有する四角筒状に形成され、下面中央部に長方形状の開口を有し、下面外周部が円弧状に形成されたガイド部１４と、断面が長方形の筒状に形成され、下端部が円弧状に大きく開いた吸気口１５ａを有し、この下端部がガイド部１４の下面中央部の開口に一体に連結されてガイド部１４の下面中央部の開口を封止し、上端部をガイド部１４から所定長さだけ突出した吸気筒１５及びガイド部１４の上端開口部１３を封止するカバー１６とを有する。
【００１４】
シール機構部１２は、図３の封止装置８の断面図に示すように、例えばシリンダからなる一対の駆動手段１７と各駆動手段１７に連結された熱溶着手段１８を有する。一対の駆動手段１７はカバー１６に固定され、駆動手段１７と熱溶着手段１８はガイド部１４の吸気筒１５を挟んだ両側にそれぞれ配置されている。この熱圧着手段１８の先端部に相当する吸気筒１５の両側面の位置には、図２（ａ）のＡ−Ａ断面図である図４に示すように、熱溶着手段１８の先端部を通す長方形の熱溶着手段ガイド孔１９を有する。
【００１５】
昇降装置１０は、例えば駆動モータ２０と、ラックとピニオンからなる駆動伝達機構２１とを有し、封止装置８を上下方向に移動する。この駆動装置１０に連結された封止装置８の吸気筒１５は吸気ホース２２を介して不図示の吸気装置に接続されている。
【００１６】
この封止装置８で保護ケース５内に挿入されて被包装物７を投入した包装袋６の開放端をシールするときの動作を図５の動作工程図を参照して説明する。
【００１７】
図１に示すように、シール機構部１２の駆動手段１７で熱溶着手段１８を後退させて熱溶着手段１８の先端部を吸気筒１５から退避させた封止装置８を昇降装置１０により上昇端まで上昇した状態で、保護ケース５内に挿入されて被包装物７を投入した包装袋６がコンベヤ２により投入部３から封止部４に送られると、昇降装置１０により封止装置８を下降させる。封止装置８を所定距離だけ下降したとき不図示の吸気装置を駆動して吸引装置１１の吸気筒１５内の吸気を開始し、さらに封止装置８を下降する。この封止装置８の下降により、図５（ａ）に示すように、吸引装置１１のガイド部１４の下端部が包装袋６の開放端に達すると、吸気筒１５内の吸気により包装袋６内の空気が吸引されて包装袋６の先端部が内側に吸引変形し、包装袋６内の空気の吸引が進むにしたがって包装袋６の開放端はガイド部１４の下端部に沿って吸気筒１５側に移動する。
【００１８】
この吸気筒１５内を吸気した状態で封止装置８をさらに下降すると、図５（ｂ）に示すように、包装袋６の開放端が吸気筒１５内に入り込みながら包装袋６の空気を排気する。さらに封止装置８を下降して、図５（ｃ）に示すように、あらかじめ設定された下降端に達すると、シール機構部１２の駆動手段１７を駆動して熱溶着手段１８を前進させ、一対の熱溶着手段１８の先端部で包装袋６の先端部の被包装物７に近い部分を熱溶着する。
【００１９】
包装袋６を熱溶着した後、吸気筒１５内の吸気を停止し、駆動手段１７で熱溶着手段１８を後退させて熱溶着手段１８の先端部を吸気筒１５から退避させた後、昇降装置１０で封止装置８を上昇させ、封止装置８が上昇端に達したら、先端部を熱溶着した包装袋６を有する保護ケース５をコンベヤ２により封止部４から排出して次の包装袋６のシール動作を行う。
【００２０】
このように封止装置８で被包装物７を投入した包装袋６内の空気を吸引して排出するとともにこの包装袋６内の空気の吸引により包装袋６の先端部を吸引変形させて吸気筒１５内に導入して熱溶着するから、包装袋６内の空気排出と包装袋６の熱溶着を容易に行うことができる。
【００２１】
また、包装袋６の熱溶着の前に被包装物７を投入した包装袋６内の空気を排出するから、被包装物７を内蔵する包装袋６の容積を小さくすることができ、輸送や保管の際の取扱いを容易にすることができる。
【００２２】
さらに、吸気筒１５内を吸気して包装袋６の先端部を吸気筒１５内に導入して熱溶着するから、包装袋６の熱溶着する部分が折り曲がって重なることを防いで包装袋６を確実に熱溶着することができる。
【００２３】
前記説明では、吸引装置１１のガイド部１４を四角筒状に形成し、下面を円弧状に形成した場合について説明したが、ガイド部１４を円筒状や多角形の筒状に形成したり、下面を笠状等の形状に形成しても良い。
【図面の簡単な説明】
【００２４】
【図１】この発明の包装装置の構成図である。
【図２】封止装置を示す外観図である。
【図３】封止装置の構成を示す断面図である。
【図４】封止装置の吸気筒の熱溶着手段ガイド孔を示す断面図である。
【図５】封止装置の動作を示す動作工程図である。
【符号の説明】
【００２５】
１；包装装置、２；コンベヤ、３；投入部、４；封止部、５；保護ケース、
６；包装袋、７；被包装物、８；封止装置、９；フレーム、１０；昇降装置、
１１；吸引装置、１２；シール機構部、１３；開口部、１４；ガイド部、
１５；吸気筒、１６；カバー、１７；駆動手段、１８；熱溶着手段、
１９；熱溶着手段ガイド孔、２０；駆動モータ、２１；駆動伝達機構。
【図１】
2009286485.tif 000003
【図２】
2009286485.tif 000004
【図３】
2009286485.tif 000005
【図４】
2009286485.tif 000006
【図５】
2009286485.tif 000007